(57)【特許請求の範囲】
【請求項１】
温度の異なる複数の部屋を仕切る仕切壁に搬送用コンベアが貫通するために形成された開口に設けられた結露防止用ヒートパイプであって、
該結露防止用ヒートパイプは、前記開口の開口縁部付近を取り巻くように前記温度の異なる複数の部屋の温度が低い方の部屋側の壁面に配置された放熱部と、前記温度の異なる複数の部屋の温度が高い方の部屋側に配置された吸熱部と、が一体に形成され、該吸熱部は、前記開口の下縁部から前記仕切壁の壁面に対して垂直に突出して搬送用コンベアの下方に又は該搬送用コンベアに沿って配置されていることを特徴とする結露防止用ヒートパイプ。
【請求項２】
温度の異なる複数の部屋を仕切る仕切壁に搬送用コンベアが貫通するために形成された開口に設けられた結露防止用ヒートパイプであって、
該結露防止用ヒートパイプは、前記開口の開口縁部付近を取り巻くように前記温度の異なる複数の部屋の温度が低い方の部屋側の壁面に配置された放熱部と、前記温度の異なる複数の部屋の温度が高い方の部屋側の壁面に沿って下向きに配置された吸熱部と、が一体に形成されていることを特徴とする結露防止用ヒートパイプ。
【請求項３】
前記吸熱部は、その表面に樹脂コーティングが設けられていることを特徴とする請求項１又は請求項２に記載の結露防止用ヒートパイプ。
【発明の詳細な説明】
【技術分野】
【０００１】
本発明は、食品等の保管や加工のための冷凍室・保冷室・作業室といった複数の温度の異なる複数の部屋を仕切壁によって仕切ると共に、隣接する部屋間に食品等を搬送するためのベルトコンベアやローラコンベヤを貫通させるための開口を仕切壁に形成した際、隣接する各部屋の温度差に起因する開口付近の結露を防止する結露防止用ヒートパイプに関する。
【背景技術】
【０００２】
従来から、市場や加工といった肉や魚類の食品等を加工したり一時保管する建物においては、例えば、その食品等を加工する常温の作業室と、加工後（又は加工前）の食品等を冷凍貯蔵する低温の貯蔵室と、が隣接して配置されると共に、これら室内温度の異なる各部屋を仕切る仕切壁を開閉したり（例えば、特許文献１参照）、仕切壁に開口を設けたり（例えば、特許文献２参照）することで、各部屋間に食品等の搬送を可能としている。
【０００３】
この際、例えば、仕切壁を開閉するものにあっては、比較的大型或いは大量の食品等を一時的に保管するため、比較的大掛かりな開閉装置が採用される。
【０００４】
一方、仕切壁に開口を設けたものでは、各部屋間に跨るように開口を貫通するベルトコンベアやローラコンベア等の搬送用コンベアを設置した簡素な構造が採用されている。
【０００５】
また、このような仕切壁に開口を設け、その開口を搬送用コンベアが貫通する建物構造では、隣接する各部屋の温度差に起因して、開口付近に結露が発生するという問題が生じていた。
【０００６】
そこで、上述した特許文献２では、開口に防露筒を嵌合し、この防露筒の低温部屋側には外面を覆うように空気循環路を設けると共に、この空気循環路に、低温部屋側の空気を取り入れる空気取入口と、空気循環路の空気を暖めるヒータと、空気循環路で覆われた防露筒の一側面に設けられた空気吹出口と、空気循環路で覆われた防露筒の他側面に設けられた空気吸込口と、高温の部屋側の防露筒に内蔵されたヒータと、を備えた結露防止装置を設置している。
【特許文献１】特開２００３−１０４５０８号公報
【特許文献２】特開平１１−０３５１４８号公報
【発明の開示】
【発明が解決しようとする課題】
【０００７】
ところが、上記の如く構成された結露防止装置にあっては、開口面積を狭くしてしまうばかりでなく、搬送方向にもスペースを必要としてしまう非常に大掛かりな装置となってしまい、しかも、電力を必要とするために、利用コストが高騰するという問題が生じていた。
【０００８】
そこで、本発明は、上記事情を考慮し、簡素な構成で省スペース化に貢献し得て、しかも、無電力で効果的に結露を防止することができる結露防止用ヒートパイプを提供することを目的とする。
【課題を解決するための手段】
【０００９】
本発明の結露防止用ヒートパイプは、温度の異なる複数の部屋を仕切る仕切壁に搬送用コンベアが貫通するために形成された開口に設けられた結露防止用ヒートパイプであって、該結露防止用ヒートパイプは、前記開口の開口縁部付近を取り巻くように配置された放熱部と、前記温度の異なる複数の部屋の温度が高い方の部屋側に配置された吸熱部と、が一体に形成されていることを特徴とする。
【００１０】
この際、前記吸熱部は、前記開口の下縁部から搬送用コンベアの下方に配置されているのが好ましく、前記放熱部は、前記温度の異なる複数の部屋の温度が低い方の部屋側の壁面に、前記開口の開口縁部に沿って配置されているのが好ましい。
【００１１】
また、前記吸熱部は、その表面に樹脂コーティングが設けるのが好ましい。
【発明の効果】
【００１２】
本発明の結露防止用ヒートパイプは、簡素な構成で省スペース化に貢献し得て、しかも、無電力で効果的に結露を防止することができる。
【発明を実施するための最良の形態】
【００１３】
次に、本発明の一実施形態に係る結露防止用ヒートパイプについて、図面を参照して説明する。
【００１４】
図１は本発明の一実施形態に係る結露防止用ヒートパイプが適用される建物構造の説明図、図２は本発明の一実施形態に係る結露防止用ヒートパイプを示す要部の斜視図、図３は本発明の一実施形態に係る結露防止用ヒートパイプを示す設置状態の要部の断面図、図４は本発明の一実施形態に係る結露防止用ヒートパイプを示す設置状態の要部の正面図、図５は本発明の一実施形態に係る結露防止用ヒートパイプを示す変形例１の設置状態の要部の断面図、図６は本発明の一実施形態に係る結露防止用ヒートパイプを示す変形例２の設置状態の要部の断面図である。
図１に示すように、本発明の一実施形態に係る結露防止用ヒートパイプは、温度の異なる（例えば、冷凍・緩衝温・常温）複数の部屋１，２，３を仕切る仕切壁４，５に搬送用コンベア６が貫通するために形成された開口７，８に設置が可能である。
【００１５】
具体的には、図２乃至図４に示すように、仕切壁４（５）は、発泡材（例えば、断熱性の高いスタイロフォーム等）等の壁本体４ａ（５ａ）の低温室側壁面と高温室側壁面のそれぞれに金属パネル等の壁面４ｂ，４ｃ（５ｂ，５ｃ）が略全面に跨って設けられた多層構造となっている。
【００１６】
搬送用コンベア６は、開口７，８の開口面積と共に搬送する食品等の大きさや重さに応じて、適宜種類（例えば、ローラコンベア又はベルトコンベア）の搬送能力や耐久性（重量）のものが用いられるが、その構成は公知のものが使用される。
【００１７】
一方、開口７（８）には、開口７（８）の開口縁部付近を取り巻くように配置された放熱部９ａと、温度の異なる複数の部屋１，２，３のうち、温度が高い方の部屋２（又は部屋３）側に配置された吸熱部９ｂと、が一体に形成された結露防止用ヒートパイプ９が配置されている。
【００１８】
放熱部９ａは、温度の異なる複数の部屋１，２，３のうち、開口７（８）を形成する壁面厚さに対して、比較的結露の発生し易い部位周辺（水蒸気分圧が高い領域）、即ち、温度が低い方の部屋１（又は部屋２）側の壁面４ｂ（又は壁面５ｂ）で、且つ、開口７（８）の開口縁部の略全周を取り巻くように、開口縁部に沿って配置されている。
【００１９】
尚、放熱部９ａは、壁面４ｂ（５ｂ）が金属パネルであることから、溶接等によって固定することも可能である。また、放熱部９ａに、放熱フィンを形成しても良い。
【００２０】
吸熱部９ｂは、放熱部９ａよりも低い位置となるよう、開口７（８）の下縁部から搬送用コンベア６の下方に配置することにより、例えば、搬送用コンベア６に沿って一直線上に配策することができるうえ、搬送用コンベア６で搬送する食品等の被搬送物１０の搬送の邪魔とならないようにすることができる。また、吸熱部９ｂは、室内温度の高い側に配置されているため、その高音側のエネルギーを低温側の放熱部９ａに搬送し、開口７（８）の開口縁部付近を昇温し、露点以上の表面温度とする。
【００２１】
尚、吸熱部９ｂは、表面温度が下がるため、結露防止のため、吸熱面積を広げたり、表面に熱収縮チューブ等の樹脂コーティングを施すのが好ましい。また、吸熱部９ｂに、吸熱フィンを形成しても良い。さらに、吸熱部９ｂは、例えば、その突出端側を搬送用コンベア６の脚部等に支持させると良い。
【００２２】
この際、吸熱部９ｂの壁面４ｃ（又は壁面５ｃ）からの突出長さＬは、開口７（８）の開口面積（放熱部９ａの全長）等によって異なるが、例えば、開口７（８）の大きさが、縦３０ｃｍ×横４０ｃｍ程度（例えば、ＪＩＳ規格のＢ４用紙サイズ程度）の開口面積の場合、直径１／２〜３／４φの銅チューブに吸熱フィン付とした吸熱部９ｂでは、縦３０ｃｍ＋横４０ｍの２倍程度（＝７０ｃｍ×２＝１４０ｃｍ程度）とするのが好ましい。
【００２３】
このように、本発明の結露防止用ヒートパイプ９によれば、開口７（８）の開口縁部付近を取り巻くように配置された放熱部９ａと、温度の異なる複数の部屋１，２，３のうち、温度が高い方の部屋２（又は部屋３）側に配置された吸熱部９ｂと、が一体に形成されていることにより、簡素な構成で省スペース化に貢献し得て、しかも、無電力で効果的に開口７（８）の結露の発生を抑制することができる。
【００２４】
ところで、上記実施の形態では、吸熱部９ｂを壁面４ｃ（５ｃ）から垂直に突出させた構造物の場合を開示したが、例えば、図５に示すように、搬送用コンベア６に沿って配置したり、図６に示すように、壁面４ｃ（５ｃ）に沿って下向きに配置することにより、吸熱効果並びに結露防止効果を確保することも可能である。
【００２５】
この際、吸熱部９ｂは、搬送用コンベア６や壁面４ｃ（５ｃ）に溶接等で密着固定としても良いし、ブラケット等を介して離間支持としても良い。
【図面の簡単な説明】
【００２６】
【図１】本発明の一実施形態に係る結露防止用ヒートパイプが適用される建物構造の説明図である。
【図２】本発明の一実施形態に係る結露防止用ヒートパイプを示す要部の斜視図である。
【図３】本発明の一実施形態に係る結露防止用ヒートパイプを示す設置状態の要部の断面図である。
【図４】本発明の一実施形態に係る結露防止用ヒートパイプを示す設置状態の要部の正面図である。
【図５】本発明の一実施形態に係る結露防止用ヒートパイプを示す変形例１の設置状態の要部の断面図である。
【図６】本発明の一実施形態に係る結露防止用ヒートパイプを示す変形例２の設置状態の要部の断面図である。
【符号の説明】
【００２７】
６…搬送用コンベア
７…開口
８…開口
９…結露防止用ヒートパイプ
９ａ…放熱部
９ｂ…吸熱部
【図１】
0005204521.tif 000002
【図２】
0005204521.tif 000003
【図３】
0005204521.tif 000004
【図４】
0005204521.tif 000005
【図５】
0005204521.tif 000006
【図６】
0005204521.tif 000007